(57)【特許請求の範囲】
【請求項１】
ヴァイオリン属楽器のｆ字孔に脱着可能に挿入できる支持体と、該支持体に支持されｆ字孔の一部を覆い得る被着体とを備え、
前記支持体が、楽器のｆ字孔に挿入され得る脚部と、該脚部をｆ字孔に挿入した状態において該脚部からｆ字孔外へ突出するように該脚部に固着された柱体とを備え、前記脚部は、前記柱体と固着された部分から一方へ突出した突部を備えており、
前記被着体は、前記柱体を通し得る内径とｆ字孔の円形孔より大きい外径とを有することにより、前記柱体に保持され前記突部との間に楽器の表板を挟持してｆ字孔の一部を覆い得ることを特徴とするウルフトーンリムーバ。
【請求項２】
前記脚部をｆ字孔に挿入した状態において前記被着体を楽器の表板挟持位置に至らしめる際に前記柱体及び脚部の位置を保持するための把持部が、前記柱体における前記脚部とは反対側の端部に設けられていることを特徴とする請求項１に記載のウルフトーンリムーバ。
【発明の詳細な説明】
【０００１】
【発明の属する技術分野】
本発明は、ヴァイオリン、ヴィオラ、チェロ等のヴァイオリン属の楽器に装着することによりウルフトーンの発生を防止し得るウルフトーンリムーバに関する。
【０００２】
【従来の技術】
ヴァイオリン属楽器は、表板、裏板及びこれらを結合する側板で構成された箱状の本体を有し、表板にはｆ字状の孔（ｆ字孔）が一対形成されている。弦の振動は、駒を経て表板及び裏板に伝達され、これらを振動させ、その表面から拡大された音として発せられる。しかし、これ以外に、本体の箱状形態に起因する共鳴、いわゆるヘルムホルツ共鳴が生じる。ヘルムホルツ共鳴は、本体の内部空間容積、ｆ字孔の大きさ、表板及び裏板の剛性等により、特定の周波数Ａ０を基音周波数として生じる。
【０００３】
ヴァイオリンの場合に生じ得るヘルムホルツ共鳴の周波数域内には、音程として、Ｂ（２４６．９４Ｈｚ）、Ｃ（２６１．６３Ｈｚ）、Ｃ＃（２７７．１８Ｈｚ）、Ｄ（１９３．６６Ｈｚ）（以上は、Ａを４４０Ｈｚとした場合）が含まれる。ヘルムホルツ共鳴の周波数がこれらの音程の近くにあると、弦振動による本来の音と、ヘルムホルツ共鳴による音とが混在して、楽器から発せられる音に細かいうなりが生じる。これが、いわゆるウルフトーンと呼ばれる異常音であり、特定の音程において、演奏者の意に反して発生し、演奏音の質を低下させることになる。
【０００４】
通常は、このような欠点を避けるため、ヘルムホルツ共鳴の基本周波数Ａ０が、正しい音階音程の中間になるように意図して楽器が設計され製造されるが、実際には製造上の諸条件に起因するバラツキが生じ、必ずしも適切な中間位置にならない。また、演奏時の楽器の基本ピッチは、音程Ａが、常に４４０Ｈｚとは限らず、４３８〜４４６Ｈｚ程度の幅から選択される。この変動幅である８Ｈｚは、３１．３セント（半音は１００セント）に相当する。したがって、４４０ＨｚのＡ音を基準に共鳴周波数Ａ０が、音階音程の中間になるように楽器が製造されても、基本ピッチの選択によっては、ウルフトーン防止の効果がなくなる。
【０００５】
さらに、共鳴周波数Ａ０は、楽器が演奏される環境の温度及び湿度によっても変化する。
【０００６】
このように、楽器製造時の共鳴周波数Ａ０の設定によりウルフトーンを防止するのは、極めて困難である。したがって、前述の諸条件に左右されることなくウルフトーンの発生を防止し得る技術の実現が要請されていた。
【０００７】
このような要請に応えることを意図したものとして、Ｊ．Ｌ．Ｍｉｌｅｓの論文「ＴＵＮＩＮＧ  ＴＨＥ  Ａ０  ＭＯＤＥ  ＷＩＴＨＯＵＴ  ＣＨＡＮＧＩＮＧ  ＴＨＥ  ＢＯＤＹ  ＯＲ  ｆ−ＨＯＬＥ  ＳＩＺＥ」（本体又はｆ字孔の寸法の変更を伴わないＡ０モード調整」［ＣＡＳ  Ｊｏｕｒｎａｌ  Ｖｏｌ．  ４，  Ｎｏ．４（Ｓｅｒｉｅｓ  ＩＩ）、１９９７年１１月発行］に記載されたヴィオラについてのウルフトーン防止実験がある。これは、体積Ｖの球状の中空体が、該中空体（胴部）から延びる頸部においてのみ開口し、その頸部が長さＬ、開口面積ａである容器を想定したとき、ヘルムホルツ共鳴周波数Ｆが、音速をｖとして、
Ｆ＝ｖ／２π（ａ／ＶＬ）１／２      ［式１］
で表せることに着目したものである。
【０００８】
すなわち、式１において、Ｖをヴィオラの胴部の内部空間容積とし、ａ及びＬを各々ｆ字孔の開口面積及び厚さとした。そして、ｆ字孔の厚さＬを長くするため、表板におけるｆ字孔の周囲にフィルムを貼り付け楽器胴体内部へそのフィルムを延ばした状態とした。これにより、共鳴周波数Ａ０を元の値より下げることができた。式１によると、ｆ字孔の周囲の表板の厚さをＬと解釈し、これを大きくすれば、それに対応して共鳴周波数Ａ０が低下することが予想されるが、実際にはｆ字孔を通る空気の波動は開口面に垂直な方向以外にも広がっており、予想されるような低下を示さない。Ｍｉｌｅｓは、ｆ字孔周囲をフィルムで囲むことにより、開口頸部の長さを、板厚の増加では達し得ないほど増大させて、共鳴周波数の低下を実現したのである。
【０００９】
しかしながら、この手段は、複雑な形状のｆ字孔の周囲に沿ってフィルムを張り付けなければならないので、手間が掛かり、しかも貼り付け強度を高くするのが困難であるため、剥離し易く、実用性に乏しいものであった。
【００１０】
【発明が解決しようとする課題】
本発明は、前記従来技術の問題点を解決し、製造時の諸条件のバラツキに左右されず、基本ピッチの選択や演奏環境の条件に対しても容易に対応することができ、実用性に富んだウルフトーンリムーバを提供することを目的とする。
【００１１】
【課題を解決するための手段】
本発明の前記目的は、ヴァイオリン属楽器のｆ字孔に脱着可能に挿入できる支持体と、該支持体に支持されｆ字孔の一部を覆い得る被着体とを備え、前記支持体が、楽器のｆ字孔に挿入され得る脚部と、該脚部をｆ字孔に挿入した状態において該脚部からｆ字孔外へ突出するように該脚部に固着された柱体とを備え、前記脚部は、前記柱体と固着された部分から一方へ突出した突部を備えており、前記被着体は、前記柱体を通し得る内径とｆ字孔の円形孔より大きい外径とを有することにより、前記柱体に保持され前記脚部との間に楽器の表板を挟持してｆ字孔の一部を覆い得ることを特徴とするウルフトーンリムーバにより達成される。
【００１２】
該ウルフトーンリムーバは、前記脚部をｆ字孔に挿入した状態において前記被着体を楽器の表板挟持位置に至らしめる際に前記被着体を前記柱体に螺合回転する時に前記柱体及び脚部の位置を保持するための把持部が、前記柱体における前記脚部とは反対側の端部に設けられているものとすることができる。
【００１３】
【発明の実施の形態】
以下、本発明の実施形態について、添付図面を参照しつつ説明する。図１は、本発明に係るウルフトーンリムーバ１をヴァイオリンの表板Ａに装着した状態を示している。ウルフトーンリムーバ１は、図示のように、表板Ａに形成されたｆ字孔Ｈの下端の円形孔Ｈ１に挿入されている。
【００１４】
図２，図３，図４は、各々ウルフトーンリムーバ１の正面、平面及び底面を示している。図示のように、ウルフトーンリムーバ１は、ｆ字孔に脱着可能に挿入できる支持体２と、該支持体に支持されｆ字孔の一部を覆い得る被着リング３とを備えている。支持体２は、ｆ字孔Ｈの一端の円形孔Ｈ１に挿入し得る脚部４、周面に雄ねじを施され脚部４に固着された柱体５、及び柱体５の上端に固着されたエンドキャップ６を備えている。被着リング３は、円環状をなし内周面に雌ねじを施され、柱体５に螺合されている。
【００１５】
脚部４は、柱体５と固着された部分から一方へ突出した突部４０を備えている。突部４０は、図１に示すように、ｆ字孔の円形孔Ｈ１へ先端部から通された後、円形孔周囲の表板の下側に位置し得るように、その幅、突出長さ及び厚さが決められている。この例では、突部４０は、ｆ字孔の円形孔Ｈ１に通し易いように、先端部に向けて僅かにテーパ状とされ、先端部は丸くされている。
【００１６】
柱体５は、脚部４をｆ字孔に挿入した状態において該脚部からｆ字孔外へ突出するように脚部４に固着されている。
【００１７】
被着リング３は、柱体５に螺合し得る内径と、ｆ字孔の円形孔Ｈ１の径より大きい外径を有し、その外径は、ｆ字孔の円形孔Ｈ１を覆い、且つ脚部４の突部４０との間に円形孔Ｈ１周囲の表板を挟持し得るように決められている。被着リング３の外周面には、手によって該被着リングを回転し易いように、細かい溝のナーリング３０が施されている。
【００１８】
エンドキャップ６は、柱体２より径が大きい円板状をなし、下面は平坦であり、被着リング４が柱体５に螺合された後に、柱体５の上端面に接着等により固着されている。エンドキャップ６の上面は、球面の一部をなす凸曲面状とされている。
【００１９】
これら脚部４、柱体５及びエンドキャップ６は、プラスチック製とするのが、製造の容易性及び軽量性の点から望ましい。被着リング３は、プラスチック製としてもよいが、高い強度を得るために金属製とすることもできる。なお、脚部４及び被着リング３における相互に向き合う面には、楽器の表板Ａを傷付けないように、各々ゴムシート４１，３１等の軟質材を張り付けるのが望ましい。
【００２０】
図示のヴァイオリン用ウルフトーンリムーバの各所の寸法は、以下の通りである：
柱体５：外径６ｍｍ、長さ（ｃ）９ｍｍ
脚部４：最大長さ（ｅ）１２ｍｍ、厚さ（ｄ）３ｍｍ
被着リング３：外径１２ｍｍ、厚さ３．５ｍｍ
エンドキャップ６：外径９．５ｍｍ、最大高さ３ｍｍ
このウルフトーンリムーバ１は、以下のようにして使用される。先ず、被着リング３を手で回して脚部４から離した位置に至らせる。この状態で、脚部４を楽器のｆ字孔Ｈ１に挿入して表板の下面に沿わせる。これにより、柱体５はｆ字孔Ｈから外へ突出した状態となる。この状態で、エンドキャップ６を把持して脚部４の位置を保ち、被着リング３を手で回して脚部４に接近させ、脚部４と被着リング３とで表板Ａを締め付ければよい。これにより、ウルフトーンリムーバ１は表板Ａ上に堅固に固定される。ウルフトーンリムーバを楽器から取り外すときは、以上の逆の操作をすればよい。
【００２１】
このように、ウルフトーンリムーバ１は、装着されることによりｆ字孔Ｈの一部を覆いその開口面積を減少させる。その装着は脚部４のｆ字孔への挿入及び被着リングの締め付けという簡単な操作で行なうことができる。図５は、表板Ａのｆ字孔Ｈにウルフトーンリムーバ１を装着した状態を断面図により示している。
【００２２】
ウルフトーンリムーバ１を装着することによる共鳴周波数の変化は、以下の通りであった。ウルフトーンリムーバ１を高音弦側のｆ字孔におけるエンドピース寄りの円形孔Ｈ１に装着したとき、共鳴周波数（Ａ０）は、装着前の２７５Ｈｚから２６８．７５Ｈｚに変化した。この６．２５Ｈｚの低下は−４０セントに相当する。さらに、同じウルフトーンリムーバ１を低音弦側のｆ字孔におけるエンドピース寄りの円形孔にも装着した。これにより、共鳴周波数（Ａ０）は、前述の１個装着時の２６８．７５Ｈｚから２６３．７５Ｈｚに変化した。この５Ｈｚの低下は−３３セントに相当する。すなわち、１個のウルフトーンリムーバの装着により、共鳴周波数を、半音の半分に近い幅だけ変化させることができ、２個のウルフトーンリムーバの装着により半音のほぼ７０％の幅を変化させることができた。
【００２３】
なお、ウルフトーンリムーバ１は、ｆ字孔における楽器のネック寄りの円形孔Ｈ２に装着することもでき、これによっても上記と同様又はそれに近い効果を得ることができる。また、ｆ字孔における円形孔の間の中間部分Ｈ３に装着することもできる。この場合は、必要に応じて、脚部、柱体、被着リングの形状及び寸法を中間部分に適合させる。
【００２４】
エンドキャップ６は、被着リング３が柱体５から外れるのを防止すること、及び被着リング３を回転させる時に脚部４の位置を保つことを目的として設けられている。したがって、柱体５の上端部に抜け止めリング及び他の形状の把持部を装着する等して、エンドキャップを省略することができる。
【００２５】
被着リング３は円環状のものの他、ｆ字孔を覆うのに適した種々の形状の被着部材とすることができる。また、被着部材と脚部との間に楽器の表板を挟持するための被着部材の位置保持手段としては、柱体の雄ねじ及び被着部材の雌ねじの螺合によるもの他、柱体の外周面と被着部材の内周面との摩擦接触によるもの等、種々の手段を採用することができる。
【００２６】
【発明の効果】
以上から明らかなように、本発明によれば、ヴァイオリン属楽器のｆ字孔に装着されることによりｆ字孔の一部を覆いその開口面積を減少させることができ、これによりヘルムホルツ共鳴周波数を変化させることができる。したがって、楽器製造時の諸条件のバラツキ等からヘルムホルツ共鳴周波数が音階音程の近くにある場合でも、本発明に係るウルフトーンリムーバを装着することによりウルフトーンを除去できる。また、基本ピッチの選択や演奏環境の条件に対しても容易に対応することができる。特に、基本ピッチや演奏環境が種々変化しても、装着するウルフトーンリムーバの数や位置を変えることにより、共鳴周波数の変化量を調整できるので、幅広い条件に対応してウルフトーンを除去することができ、実用性が高い。そして、楽器への装着は支持体のｆ字孔への挿入及び被着体と支持体とによる表板の挟持という簡単な操作で行なうことができ、楽器使用者にとって簡便である。
【図面の簡単な説明】
【図１】本発明に係るウルフトーンリムーバの１例をヴァイオリンの一部と共に示す正面図である。
【図２】図１に示したウルフトーンリムーバの側面図である。
【図３】図１に示したウルフトーンリムーバの正面図である。
【図４】図１に示したウルフトーンリムーバの底面図である。
【図５】図２のＡ−Ａ線に沿う断面図である。
【符号の説明】
１…ウルフトーンリムーバ、２…支持体、３…被着体、４…脚部、５…柱体、Ａ…ヴァイオリンの表板、Ｈ…ｆ字孔
【図１】
0003633826.tif 000002
【図２】
0003633826.tif 000003
【図３】
0003633826.tif 000004
【図４】
0003633826.tif 000005
【図５】
0003633826.tif 000006